(57)【特許請求の範囲】
【請求項１】
自動車の速度を検出する車速検出手段と、
ホーンスイッチの操作時点における、前記車速検出手段によって検出された車速に応じて、ホーンから発せられる警報音量を可変する警報音量可変手段と
を備えるとともに、
一定以上の減速度で制動がかけられたとき、大きい警報音を発するよう設定されたことを特徴とする自動車用ホーンシステム。
【請求項２】
前記警報音量可変手段は、ホーンの駆動装置を通流する電流をＰＷＭ制御することによって音量を可変することを特徴とする請求項１に記載の自動車用ホーンシステム。
【請求項３】
前記ホーンの駆動装置に、インテリジェントパワースイッチが使用され、このインテリジェントパワースイッチを使用した前記ホーンの駆動装置を通流する電流をＰＷＭ制御することによって音量を可変することを特徴とする請求項２に記載の自動車用ホーンシステム。
【請求項４】
前記ホーンスイッチを押下したとき、最初の一定時間は小さい音量に設定されていることを特徴とする請求項１乃至請求項３に記載の自動車用ホーンシステム。
【発明の詳細な説明】
【技術分野】
【０００１】
本発明は、警報対象が他の自動車であるか一般の歩行者であるかなどの使用環境に応じてホーンの音量を可変する自動車用ホーンシステムに関するものである。
【背景技術】
【０００２】
従来より、自動車には、安全確保のために他車や歩行者等に警報音を発して注意を促すホーンが標準装備されている。ホーンは自動車においては電気式ホーンが多く採用されており、ステアリングに設けられたホーンスイッチを操作することによって吹鳴作動し、一定音量の警報音が発せられるようになっている。
【０００３】
自動車用ホーンは、本来、他車が側道から飛び出てきたり、歩行者が不意に自車の前方を横切ろうとするなどの危険が生じたときに、事前に警報を発して注意を促し、安全を確保するものである。
【０００４】
しかし、従来より自動車用ホーンは音量が一定であるため、歩行者が不意に後方から警報音を発せられると、驚いて精神的によくないし、不測の事態も生じ兼ねない。また、ホーンからの警報音は対象となる他車や歩行者のみに発して注意を喚起すれば足りるのであるが、周囲の者に対しても同様に警報音を発することになるので、これらの者が迷惑を被ることも多く、継続して大きな音量の警報音を発せられると、不快感を受けることにもなる。更に、自動車用ホーンは遠方の自動車にも有効な警告を発せられるよう一律に大きな音量に設定されているので、小さい警報音で足りる歩行者など近距離の者に対しては本来、音量として不適切である。一方、自動車用ホーンは警報による注意喚起の他、道を譲ってもらった場合などでの挨拶として使用されることがあり、このような場合では小さい音量で合図を送るのが望ましい。
【０００５】
そこで、これらの不具合を解消すべく、例えば、特開２００２−３０８０１１公報には、運転者が継続してホーンスイッチを押しても予め設定された短時間のみ吹鳴作動させる技術が開示されており、これによれば、ホーンの音が不快な騒音となるのを防止できる。しかし、この特開２００２−３０８０１１公報による技術は音量を小さくすることによって周囲の迷惑にならないようにするものではない。
【０００６】
これに対して、特開２００１−１３０３２２公報には、標準装備のホーンスイッチとは別途に、小さい音を発生させるためのホーンスイッチを増設して１つのホーンから大きい音と小さい音とを発生できるようにし、或いは、大きい音と小さい音とに切換調整するための切換操作部を設けて小さい音も発生できるようにした技術が開示されている。これによれば、住宅街等での早朝において或いは自動車同士のすれ違い時における挨拶において小さい警報音を発生させることができる。
【特許文献１】特開２００２−３０８０１１公報
【特許文献２】特開２００１−１３０３２２公報
【発明の開示】
【発明が解決しようとする課題】
【０００７】
しかし、前記特開２００１−１３０３２２公報に記載の自動車用ホーン装置は、２つのホーンスイッチを備えたものにおいては、標準装備されている通常の大きい音を発生させるためのホーンスイッチがステアリングに設けられ、小さい音を発生させるためのホーンスイッチが、例えばステアリングの中央などに装着されているから、走行中の状況に応じて２つのホーンスイッチを使い分けなければならず、操作が煩わしい。また、緊急時などでは咄嗟の判断を誤り、大きい音を発生すべきところを小さい音を発生させてしまうことも起こりうるので危険である。これは切換操作部を設けて切換えるものについても同様である。更に、２つのホーンスイッチ或いは切換操作部を取付けるためのスペースも新たに必要となる。
【０００８】
そこで、本発明は、警報対象が他車であるか歩行者であるかなどの使用環境に応じて適切な音量の警報音を発生し、もって、吹鳴作動による迷惑を防止できる自動車用ホーンシステムの提供を課題とするものである。
【課題を解決するための手段】
【０００９】
請求項１の自動車用ホーンシステムは、自動車の速度を検出する車速検出手段と、ホーンスイッチの操作時点における、前記車速検出手段によって検出された車速に応じて、ホーンから発せられる警報音量を可変する警報音量可変手段とを備えるとともに、一定以上の減速度で制動がかけられたとき、大きい警報音を発するよう設定されたものである。
【００１０】
車速検出手段を設けたのは、警報対象までの距離と車速とは一般には相関関係にあるとみなすことが可能だからである。即ち、警報対象が自動車など遠方にある場合には、大きい警報音を必要とし、歩行者など近距離にある場合には、小さい警報音で足りるところ、一般に、遠方から警報を発するのが必要となるのは自車が通常速度或いは高速度で走行している場合であり、近距離から警報を発することが必要となるのは自車が低速度で走行している場合が多い。具体的には、低速走行であれば、遠方の他車までは距離があってそれに接近するには時間的余裕があり、警報を発する必要性に乏しい。一方、近距離の歩行者等に警報音を発生する状況においては、飛び出しなどの緊急時を除いて、一般には細い路地道とか人通りの多い道路などで警報するのが多く、その場合、自車は一般に低速で走行している。したがって、警報対象までの距離と車速とは、このような関係にあるから、車速検知手段は、遠方であって大きい音量の警報音を発生すべきか近距離であって小さい音量の警報音を発生すべきかの判断材料となるからである。
【００１１】
車速検知手段としては、運転席の計器盤のスピードメーターに車速信号を送出するセンサを利用すればよく、これにより、安価に車速検知手段を構成し、検知信号を送出できる。
【００１２】
警報音量可変手段において、警報音量を可変するには、電気式ホーンの場合、ホーンの駆動装置を通流する電流値を可変することによって行なうことができる。更に、この電流値を可変するには、例えば、電力をPWM制御したり、電気回路中に可変抵抗器を設けることによって行なうことができる。
【００１３】
次に、請求項２の自動車用ホーンシステムは、警報音量可変手段が、ホーンの駆動装置を通流する電流をＰＷＭ制御することによって音量を可変するものである。前記ＰＷＭ（Pulse Wide Modulation）制御はパルス幅変調方式と呼ばれる制御で、スイッチのオンとオフとを繰り返し行ない、スイッチング周波数を固定させておいてパルス幅のオンとオフとの時間比を変化させることで出力電圧平均値及び電流平均値を変えるものである。具体的には、一周期のパルスのＯＮ期間の比率である時比率（デューティ比）を増減することで出力の平均値を増減できる。
【００１４】
請求項３の自動車用ホーンシステムは、ホーンの駆動装置にインテリジェントパワースイッチが使用され、インテリジェントパワースイッチを使用した前記ホーンの駆動装置を通流する電流をＰＷＭ制御することによって音量を可変するものである。
【００１５】
請求項４の自動車用ホーンシステムは、ホーンスイッチを押下したとき、最初の一定時間は小さい音量に設定されている。最初の一定時間を経過した後も継続してホーンスイッチを押下しているときは、通常の大きい音量に切り変わる。このとき、一度に通常の大きい音量に切り替えることもでき、徐々に大きい音量に切り替えることも可能である。
【発明の効果】
【００１６】
請求項１の自動車用ホーンシステムは、ホーンスイッチの操作時点における車速に応じて、ホーンから発せられる警報音量を可変できるから、歩行者に低速で接近して注意を促す場合には、距離的に小さい音量の警報音で充分危険を知らせることができる。これによって、警報によって注意を喚起するとともに、大きい音量によって歩行者が驚いたり、周囲に迷惑を及ぼすのを回避し、歩行者等に優しい警報音を発することができる。また、すれ違いなどでの挨拶においては適量の小さい音量とすることができる。一方、通常速度或いは高速度で走行中に他車に接近して注意を喚起する場合には、距離的に通常の大きい音量の警報音で危険を知らせることができる。つまり、警報対象までの距離に応じて適切な大きさの警報音を発生させることができる。そして、一定以上の減速度で制動がかけられたとき、大きい警報音を発するよう設定されているから、低速走行中であっても子供の飛び出しなどで急制動をかける緊急時には、大きい警報音を発することができる。しかも、車速に応じて警報音量を可変できるから、１つのホーンスイッチのみを操作すればよく、複数のホーンスイッチを使い分けたり、大きい音と小さい音との切換操作部を操作したりする手間を省いてそれらの操作の煩わしさから解放される。その結果、ホーンスイッチに気を使うことなく、自動車の運転に集中できる。
【００１７】
そして、警報対象までの距離を検出する装置を設けるのは多大な費用が発生するところ、請求項１の自動車用ホーンシステムでは、車速を検出することによって近似的に距離を認識するものであるから、ホーンシステムを安価に製造できる。
【００１８】
次に、請求項２の自動車用ホーンシステムは、ホーンの駆動装置を通流する電流をＰＷＭ制御することで音量を可変するから、パルス幅のみで出力値を制御でき、１つのホーンスイッチで異なる音量の警報音を発することを可能とする。また、スイッチをオンした期間しか電源電力を消費しないという効果を奏する。
【００１９】
請求項３の自動車用ホーンシステムは、ＰＷＭ制御を行なうことができるホーンの駆動装置にインテリジェントパワースイッチを用いることで、装置を小型化、軽量化できる。
【００２０】
請求項４の自動車用ホーンシステムは、ホーンスイッチを押下したとき、最初の一定時間は小さい音量に設定されており、警報音を続けて発しても歩行者が気づかなかった場合に大きい音量に変化させて車の接近を知らせることができる。したがって、近距離においても状況によっては音量を増大させて安全を確保することができる。
【発明を実施するための最良の形態】
【００２１】
以下、本発明の実施形態の自動車用ホーンシステムを図１乃至図５に基づいて説明する。図１は本発明の実施形態の自動車用ホーンシステムの構成図を示す。
【００２２】
図１において、自動車のホーンシステム１は通電により吹鳴作動する電気式のホーン２と、前記ホーン２への電流の通電、遮断を行なうためにステアリングに取付けられた周知のホーンスイッチ３と、電源を供給するバッテリ４と、前記ホーンスイッチ３の操作に基づき、前記ホーン２の作動電力のスイッチングとして機能するとともに該ホーン２から発せられる警報音量を車速に応じて制御するインテリジェントパワースイッチ（以下、単に「ＩＰＳ」と称す）１１と、走行中の車速を検出してその検出信号を連続して送出する車速センサ２１とで構成されている。なお、前記ＩＰＳ１１は請求項の警報音量可変手段及びホーンの駆動装置を構成し、前記車速センサ２１は請求項の車速検出手段を構成する。
【００２３】
前記ＩＰＳ１１は、ホーンスイッチ３及び車速センサ２１からの外部入力端子と、ホーン２に接続される外部出力端子とを備えるとともに、電流の供給、遮断を行なうトランジスタのＭＯＳＦＥＴ１２、及び前記ホーンスイッチ３及び車速センサ２１からの信号を入力してＰＷＭ制御によるパルスを発生し、パルス信号を前記ＭＯＳＦＥＴ１２のゲートＧに出力する制御回路１３を備えている。前記ＭＯＳＦＥＴ１２のドレインＤはバッテリ４の＋端子に接続され、ソースＳはホーン２に接続されている。そして、前記制御回路１３はＰＷＭ制御されたパルスを発生するパルス発生回路及びドライバ回路を備えている。
【００２４】
前記車速センサ２１は運転席の計器盤のスピードメーターに車速信号を送出しているセンサを利用し、このセンサからの車速信号の一部を取り込んでＩＰＳ１１に連続して信号を送出している。前記車速センサ２１はスピードメーターに信号を送出しているセンサを利用するので、安価に設けることができる。
【００２５】
ここで、前記ＩＰＳ１１の制御回路１３においてＰＷＭ制御されたパルス波形を図２に示す。ＰＷＭ制御では、電源入力電圧が一定の下、パルスのスイッチング周波数ｆは一定、即ち周期Ｔ（＝１／ｆ）は一定で、オン時間Ｔｏを変化させている。図２(a)はオン時間Ｔｏを長くしたパルス波形を示し、出力電圧平均値Ｅｏ及び電流平均値Ｉｏは破線で示した値となる。この図２(a)の出力電圧平均値Ｅｏ及び電流平均値Ｉｏである場合は、音量の大きい通常の警報音が発せられる。一方、図２(b)はオン時間Ｔｏを短かくした、即ち、時比率（デューティ比）が図２(a)より小さいパルス波形を示し、出力電圧平均値Ｅｏ及び電流平均値Ｉｏは破線で示したように、図２(a)より小さい値を示す。この図２(b)の出力電圧平均値Ｅｏ及び電流平均値Ｉｏである場合は、音量の小さい警報音が発せられる。なお、図２では、２種類の時比率についてのパルス波形を示しているが、時比率は任意に設定することができ、また、連続的に変化させることができる。
【００２６】
本実施形態における制御回路１３においては、ホーンスイッチ３を押下した時点で、車速センサ２１で検出された車速が一定の閾値、例えば３０ｋｍを超えた通常速度或いは高速度の場合は、ＰＷＭ制御による電流平均値Ｉｏは図２(a)に示される値となるよう予め設定されている。一方、ホーンスイッチ３を押下した時点で、車速センサ２１で検出された車速が一定の閾値、例えば３０ｋｍを超えていない低速度である場合は、ＰＷＭ制御による電流平均値Ｉｏは図２(b)に示される値となるよう予め設定されている。
【００２７】
このように構成されたホーンシステム１においては、走行中にホーンスイッチ３を押下すると、その信号はＩＰＳ１１の制御回路１３に送出される。すると、前記制御回路１３ではパルス発生回路及びドライバ回路による処理が行なわれ、車速に応じてＰＷＭ制御されたパルス信号をＭＯＳＦＥＴ１２のゲートＧに出力する。そして、ＭＯＳＦＥＴ１２はゲートＧにパルス信号が入力されると、バッテリ４の電源からホーン２に電流が流れ、ホーンスイッチ３を押下している間、吹鳴作動する。このとき、車速センサ２１によって検出された車速が予め設定された一定の閾値以上の通常速度或いは高速度である場合には、ホーン２からは図２(a)の電流平均値Ｉｏに相当する大きい警報音が発せられ、閾値以下の低速度である場合には、図２(b)の電流平均値Ｉｏに相当する小さい警報音が発せられる。図３に、車速と警報音の音量との関係を示す。
【００２８】
前記ホーンシステム１の制御回路１３における制御動作を図４のフローチャートによって示せば、まず、ステップＳ１で、ホーンスイッチ３が操作されたかの判断がなされ、ホーンスイッチ３が操作されたら、ステップＳ２に進む。ステップＳ２で、そのときの車速が一定値を超えているかの判断がなされ、超えていれば、ステップＳ３に進んで、音量の大きい通常モードの警報音の指令信号がＭＯＳＦＥＴ１２のゲートＧに出力される。車速が一定値を超えていなければ、ステップＳ４に進んで、音量の小さい減音モードの警報音の指令信号が出力される。そして、制御がステップＳ１に戻り、なおもホーンスイッチ３が操作されていたら、警報音が継続して発せられる。
【００２９】
ここで、ステップＳ１に戻った段階で、車速が変化していたときは、変化後の車速に対応する音量の警報音が発せられる。このため、例えば、通常速度で走行中、ホーンスイッチ３を操作した段階では音量の大きい警報音が発せられるが、ブレーキ制動をかけて低速になり、歩行者等との距離が短かくなったときには、小さい音量に切替わって警報音が発せられる。但し、急制動をかけて低速になった場合には注意を喚起するため、最初にホーンスイッチ３を操作した時点での通常速度に応じた音量を継続して維持し、一定音量の警報音が発せられるものとすることもできる。
【００３０】
このように構成された本発明の実施形態のホーンシステムは、近距離の場合は小さい音量で充分警報の機能を奏するところ、他車、歩行者などの警報対象までの距離に応じた適切な音量の警報音を発するものであり、警報対象までの概略の距離を車速を検出することによって把握するものである。ここで、車速は車速センサ２１によって簡単かつ安価に検出でき、かつ、車速に応じた音量をＰＷＭ制御によって可変できるようにしているから、１つのホーンスイッチ３で異なる音量の警報音を発することができる。その結果、異なる音量の警報音を発するために２つのホーンスイッチ或いは切換操作部を備えたものと比較して、ホーンスイッチを押し間違えて通常の大きい音量で吹鳴作動すべきところを小さい音量で作動させてしまうなどの不具合を生ずることは全くない。したがって、運転者はホーンスイッチの選択或いは切換操作部の切換えに気をとられることがなく、また、ホーンスイッチの操作に気をとられることによって運転操作を誤ったりする事態を防ぐこともできる。
【００３１】
また、ホーンの駆動装置を通流する電流値をＰＷＭ制御することで音量を可変するから、パルス幅のみで出力値を制御できるとともに、スイッチをオンした期間しか電源電力を消費しない。
【００３２】
更に、ＭＯＳＦＥＴ１２をスイッチ素子としたＩＰＳ１１を用いているので、ＰＷＭ制御が容易となり、また、装置を小型化、軽量化できるとともに、出力効率がよいという効果も得られる。
【００３３】
ところで、上記実施形態では、警報音は通常モードの大きい音と減音モードの小さい音との２種類を発生するものとしているが、大中小など３種類以上の音量に段階的に可変してもよい。また、音量を車速に伴って連続的に可変させることも可能である。図３では、ある一定の車速を境界として警報音量を急変させているが、図５に示すように、大音と小音との可変部分で車速に比例して音量が変化する傾斜部を設けることもできる。これはＩＰＳ１１の制御回路１３において車速に比例して電流平均値Ｉｏが増減するよう予めＰＷＭ制御の設定を行なうことによって実現できる。なお、比例でなく、例えば車速に対して２次曲線的に音量が変化するものとしてもよい。
【００３４】
なお、この実施形態においては、ＩＰＳ１１にＭＯＳＦＥＴ１２を用いているが、他のトランジスタ、半導体素子を用いてもよいことは当然である。
【００３５】
次に、上記実施形態では、ＭＯＳＦＥＴ１２を用いたＩＰＳ１１をＰＷＭ制御して警報音量を可変して調整するものとしているが、必ずしもこれに限定されるものではなく、例えば、図６に示すように、電磁リレー、可変抵抗器を使用して警報音量を可変することもできる。
【００３６】
図６において、ホーンシステム１は電気式のホーン２と、ホーンスイッチ３と、電源を供給するバッテリ４と、走行中の車速を検出してその検出信号を連続して送出する車速センサ２１とを備える点で、図１に示した上記実施形態と共通し、前記バッテリ４からの電力を前記ホーン２に供給または遮断する電磁リレー３１と、前記ホーン２から発せられる警報音量を車速に応じて制御する制御回路３２と、可変抵抗器３３とを備える点において相違する。
【００３７】
前記電磁リレー３１はバッテリ４のプラス端子に接続された外部入力端子と、ホーンスイッチ３に接続された外部入力端子と、制御回路３２に接続された外部出力端子とを備えている。また、前記制御回路３２は車速センサ２１からの信号を受けて車速に応じた制御を行ない、ホーン２に直接電流を供給する状態と、可変抵抗器３３を通ってホーン２に電流を供給する状態との切換え制御を行なう。直接ホーン２に電流を供給する場合は、通常の音量の警報音を発生する一方、可変抵抗器３３を通ってホーン２に電流を供給する場合には、前記可変抵抗器３３の抵抗により電流値は小さくなって小さい音量の警報音を発生する。
【００３８】
このように構成されたホーンシステム１においては、ホーンスイッチ３を押下すると、電磁リレー３１に電流が流れて回路が閉じられる。すると、バッテリ４からの電流が電磁リレー３１を通って制御回路３２に流れる。そこで、制御回路３２はその時点における車速センサ２１からの信号を受け、車速に応じて、直接ホーン２に電流を流す場合と、可変抵抗器３３を通って電流を流す場合とに切換える。これにより、一定速度以上で走行しているときには、直接ホーン２に電流が流れ、大きい音量の警報音が発せられ、一定速度以下の低速走行のときには、可変抵抗器３３を通って電流が流れ、小さい音量の警報音が発せられる。
【００３９】
なお、この実施形態では、大小２種類の音量の警報音を発するものとしているが、図１に示す前記実施形態と同様に、大中小など３種類以上の音量に段階的に可変したり、比例または２次曲線等の傾斜状態に連続して可変することも可能である。
【００４０】
次に、上記各実施形態において、低速で走行中にホーンスイッチ３を押下操作したときには、音量の小さい警報音が発せられるが、ホーンスイッチ３を押下してから最初の一定時間、例えば２秒間は小さい音量の警報音を発し、その後も継続してホーンスイッチ３が押下されているときは、自動的に通常の大きい音量に切換えるものとすることもできる。押下時間と音量との関係を図で示せば、図７のようになる。即ち、押下時点から予め設定された一定時間ｔが経過するまでは音量の小さい減音状態にあり、そのまま押下を継続して一定時間ｔを経過した後は、自動的に所定時間をかけて音量の大きい通常音状態に切換わる。図７(a)では、一定の角度で傾斜する直線に沿って音量が増加し、図７(b)では、曲線に沿って増加する例を示す。ここで、音量の切換えにかかる時間が短か過ぎると、即ち、急激に大きい音量に切換わると、歩行者は驚いて精神的に強い負担を受けることが多いので、緊急度を考慮しながら適宜切換えにかかる時間を調整するのが望ましい。
【００４１】
この場合の制御回路１３または制御回路３２の制御動作を図８のフローチャートに基づいて説明する。
図８において、まず、ステップＳ１で、ホーンスイッチ３が操作されたかの判断がなされ、ホーンスイッチ３が操作されていたら、ステップＳ２に進む。ステップＳ２では、そのときの車速が一定値を超えているかの判断がなされる。車速が一定値を超えていれば、ステップＳ３に進んで、音量の大きい通常モードの警報音の指令信号が制御回路１３等から出力される。その後は、ステップＳ１に戻り、なおもホーンスイッチ３が操作されていたら、警報音が継続して発せられることとなる。一方、車速が一定値を超えていなければ、ステップＳ４に進んで、音量の小さい減音モードの警報音の指令信号が制御回路１３等から出力される。
【００４２】
そして、ステップＳ５に進んで、一定時間、例えば、２秒間が経過したかの判断がなされる。一定時間が経過しておらず、継続してホーンスイッチ３が操作されている場合には、引続き小さい音量の指令信号が出力される。一定時間が経過していれば、ステップＳ６に進んで、なおもホーンスイッチ３が押下操作されているかが判断される。ホーンスイッチ３が押下操作されていなければ、ステップＳ１に戻る。一方、ホーンスイッチ３が押下操作されている場合には、ステップＳ７に進み、音量切換え指令信号が出力されて所定の増加率で音量が増大し、通常音に切換わる。これにより、歩行者等に大きい音量による緊急警告が行なわれる。
【００４３】
このように、最初の一定時間だけ小さい音が発せられるように制御する場合には、警報音を発しても歩行者が気づかなったときなどに、徐々に大きい音量に変化させて車の接近を確実に知らせることができる。即ち、低速度の状態においても、途中から音量を増大させる事態が生ずることがあり、この図７に示す実施形態ではそのような事態に対応することができ、安全を確保できる。
【００４４】
ところで、ホーンスイッチ３を１回だけ極く短時間だけ押下操作を行なった後、直ちに２回目の押下操作を行なうダブル押下操作を行なうことによって、大小の音量制御を解除し、低速走行時であっても子供の飛び出しなどがあった場合に通常モードの大きい音量の警報音を発生させるようにすることも可能である。
【００４５】
また、上記各実施形態においては１つのホーンスイッチ３のみを設けて異なる音量の警報音を発するものとしているが、このホーンシステム１に加え、従来の大きい音を一律に発生する通常のホーンシステムを更に備え、計２つのホーンスイッチを設けることを必ずしも妨げるものではない。
【００４６】
更に、低速で走行中に子供の飛び出しなどで急制動をかける緊急時には、減速度を検出して、低速走行中であっても一定以上の減速度で制動がかけられたときは、音量の大きい警報音を発するようにすることも可能である。また、このとき、ホーンスイッチ３を操作することなく、自動的に大きな警報音が発せられるものとすることも可能である。加えて、同時に自動的にヘッドライトを点滅させるようにしてもよい。
【図面の簡単な説明】
【００４７】
【図１】本発明の実施形態の自動車用ホーンシステムを示す構成図である。
【図２】図１の制御回路におけるＰＷＭ制御のパルス波形を示す波形図であり、(a)は音量が大きい場合、(b)は音量が小さい場合の波形を示す。
【図３】図１の自動車用ホーンシステムによる車速と警報音量との関係を示す図である。
【図４】図１の制御回路の制御動作を示すフローチャートである。
【図５】図１の自動車用ホーンシステムによる車速と警報音量との関係を示す図である。
【図６】本発明の別の実施形態の自動車用ホーンシステムを示す構成図である。
【図７】図１及び図６の制御回路の別の制御動作における時間と警報音量との関係を示す図である。
【図８】図１及び図６の制御回路の別の制御動作を示すフローチャートである。
【符号の説明】
【００４８】
１  ホーンシステム
２  ホーン
３  ホーンスイッチ
４  バッテリ
１１  ＩＰＳ
１２  ＭＯＳＦＥＴ
１３、３２  制御回路
２１  車速センサ
３１  電磁リレー
３３  可変抵抗器
【図１】
0004489659.tif 000002
【図２】
0004489659.tif 000003
【図３】
0004489659.tif 000004
【図４】
0004489659.tif 000005
【図５】
0004489659.tif 000006
【図６】
0004489659.tif 000007
【図７】
0004489659.tif 000008
【図８】
0004489659.tif 000009